(57)【要約】【課題】本発明は、製造費用が低く、静電気をエクスポートできる電気コネクタ組立体を提供することを目的とする。【解決手段】本発明の電気コネクタ組立体は、電気コネクタを備える。前記電気コネクタは、基部、及び、前記基部から前向きに延在する舌板を有する絶縁性本体と、前記絶縁性本体に固着される一列の第１端子及び一列の第２端子と、前記絶縁性本体を被覆する金属シェルであって、主体部、前記主体部から前向きに延在するスリーブ、前記主体部の内部から前向きに延在して前記スリーブに収納される金属部材を有する金属シェルと、を備える。前記金属部材には、前記舌板が収納される収納孔が形成される。【選択図】図１０
2017123325.tif 000002
【特許請求の範囲】
【請求項１】
電気コネクタを備える電気コネクタ組立体において、
前記電気コネクタは、
基部、及び、前記基部から前向きに延在する舌板を有する絶縁性本体と、
前記絶縁性本体に固持される一列の第１端子及び一列の第２端子と、
前記絶縁性本体を被覆する金属シェルであって、主体部、前記主体部から前向きに延在するスリーブ、及び、前記主体部の内部から前向きに延在して前記スリーブに収納される金属部材を有する金属シェルと、
を備え、前記金属部材には、前記舌板が収納される収納孔が形成されることを特徴とする電気コネクタ組立体。
【請求項２】
前記金属シェルは、一体成形品であり、前記金属部材が、前記主体部と連接して前記舌板の尾部を被覆するフレームと、前記フレームの両側から前向きに延在する一対の側方ビームであって、上表面及び下表面を含む一対の側方ビームと、を有し、前記側方ビームの前記上表面が前記舌板の上表面に露出され、前記側方ビームの前記下表面が前記舌板の下表面に露出されることを特徴とする請求項１に記載の電気コネクタ組立体。
【請求項３】
前記金属部材は、前記一対の側方ビームから横方向中央側に向かって折り曲げられる二つの前方ビームと、前記二つの前方ビームの内表面から後ろ向きに延在する固定柱と、を有し、前記絶縁性本体には、前記固定柱と係合する窪孔が形成されることを特徴とする請求項２に記載の電気コネクタ組立体。
【請求項４】
前記側方ビームには、前記絶縁性本体のエッジを収納するためのスロットが形成されることを特徴とする請求項２に記載の電気コネクタ組立体。
【請求項５】
前記フレームは、平行する二つの金属板と、前記二つの金属板同士を繋ぐ側壁と、を有し、前記金属板が前記舌板の前記上表面及び前記下表面を被覆することを特徴とする請求項２に記載の電気コネクタ組立体。
【請求項６】
前記絶縁性本体は、舌板と、前記舌板の両端に設けられる二つの柱状部と、を有し、前記柱状部と前記舌板との間には、収納溝が形成され、前記舌板が前記柱状部と連接する部分には連接部が設けられ、前記側壁が、前記二つの金属板の前部同士を繋ぎ、前記二つの金属板の左の端部及び右の端部には、窪溝が形成され、前記側壁が前記収納溝に収納され、前記連接部が前記窪溝に収納され、前記連接部が前記窪溝に収納され、前記側壁及び前記二つの金属板の左、右側面が前記柱状部の内表面を当接することを特徴とする請求項５に記載の電気コネクタ組立体。
【請求項７】
前記絶縁性本体は、インサートモールドによって端子と一体に成型される第１絶縁性本体と、前記第１絶縁性本体を被覆する第２絶縁性本体と、を備え、前記第１絶縁性本体が、第１基部と、前記第１基部から延在する第１舌板と、前記第１舌板の両端に設けられ、前記第１舌板の尾部と連接する二つの柱状部と、を有し、前記第２絶縁性本体は、第１舌板の前端を被覆する第１絶縁部と、前記二つの柱状部の間の前記第１舌板を被覆する第２絶縁部と、を備えることを特徴とする請求項１に記載の電気コネクタ組立体。
【請求項８】
前記電気コネクタ組立体が回路基板を備え、前記金属シェルの前記主体部が、下向きに延在して前記回路基板に係合する取付柱と、前記回路基板に取り付けられる取付脚と、を有することを特徴とする請求項１に記載の電気コネクタ組立体。
【請求項９】
前記主体部は、後壁と、前記後壁から離間していて前記金属部材と連接する連接壁と、を備えることを特徴とする請求項１に記載の電気コネクタ組立体。
【請求項１０】
前記一列の第１端子には、パワー端子、機能端子、一対の信号端子、パワー端子、の順番で配置されており、前記一列の第２端子には、前記第１端子とは逆方向に向かって、パワー端子、機能端子、一対の信号端子、パワー端子、の順番で配置されていることを特徴とする請求項１に記載の電気コネクタ組立体。
【発明の詳細な説明】
【技術分野】
【０００１】
本発明は、電気コネクタ組立体に関し、特に、静電気をエクスポートできる電気コネクタ組立体に関するものである。
【背景技術】
【０００２】
従来の電気コネクタは、階段部が設けられる絶縁性本体と、前記階段部に取り付けられる金属リングと、を備える。相手コネクタのハウジングが前記電気コネクタのリングと接続する。前記金属リングによって、静電気をエクスポートできる。
【０００３】
しかしながら、従来の電気コネクタでは、リングによって、前記電気コネクタの製造費用が増加する。また、電気コネクタの構造が複雑になる。
【先行技術文献】
【特許文献】
【０００４】
【特許文献１】中国特許公開第１０４３４８０２５Ａ号公報
【発明の概要】
【発明が解決しようとする課題】
【０００５】
そこで、本発明の目的は、製造費用が低く、静電気をエクスポートできる電気コネクタ組立体を提供することにある。
【課題を解決するための手段】
【０００６】
前記目的を達成するために、本発明の電気コネクタ組立体は、電気コネクタを備える。前記電気コネクタは、基部、及び、前記基部から前向きに延在する舌板を有する絶縁性本体と、前記絶縁性本体に固着される一列の第１端子及び一列の第２端子と、前記絶縁性本体を被覆する金属シェルであって、主体部、前記主体部から前向きに延在するスリーブ、前記主体部の内部から前向きに延在して前記スリーブに収納される金属部材を有する金属シェルと、を備える。前記金属部材には、前記舌板が収納される収納孔が形成される。
【発明の効果】
【０００７】
従来の技術と比べると、本発明は以下の長所を有する。前記金属部材が、電気コネクタの接地端子として、静電気をエクスポートし、電磁妨害の効果を実現する。前記金属部材が、他の部材を設置することなく、金属シェルを成型する過程で形成される。これによって、製造過程が簡単である。一体に成型される金属シェルの構造は、安定的であり、破損し難い。
【図面の簡単な説明】
【０００８】
【図１】本発明の電気コネクタ組立体の組立斜視図である。
【図２】図１に示す電気コネクタ組立体の部分の分解斜視図である。
【図３】図２を別の角度から見た斜視図である。
【図４】図１に示す電気コネクタの部分の分解斜視図である。
【図５】図４に示す電気コネクタの分解斜視図である。
【図６】図５の別の角度から見た分解斜視図である。
【図７】金属シェルを図５のＡ−Ａ線に沿って切た断面図である。
【図８】図７の別の角度から見た斜視図である。
【図９】図２のＢ−Ｂ線に沿って切た断面図である。
【図１０】図２のＣ−Ｃ線に沿って切た断面図である。
【発明を実施するための形態】
【０００９】
図１〜図９に示すように、本発明の電気コネクタ組立体１００は、回路基板２と、前記回路基板２に取り付けられる電気コネクタ１と、を備える。電気コネクタ１は、ＵＳＢ  ＴＹＰＥ  Ｃの規格に適合するソケットコネクタである。
【００１０】
前記電気コネクタ１は、絶縁性本体１６と、前記絶縁性本体１６に固着される複数の端子１３と、前記絶縁性本体１６を被覆するように取り付けられる金属シェル１５と、前記絶縁性本体１６の後端に形成される防水部１４と、を備える。
【００１１】
前記絶縁性本体１６は、インサートモールドによって端子１３と一体に成型される第１絶縁性本体１１と、前記第１絶縁性本体１１を被覆する第２絶縁性本体１２と、を備える。前記第１絶縁性本体１１は、第１基部１１１と、前記第１基部１１１から延在する第１舌板１１２と、前記第１舌板１１２の両端に設けられる二つの柱状部１１３と、前記端子１３を収納するための第１端子溝１１０と、を備える。横方向において、前記柱状部１１３と第１舌板１１２との間には、収納溝１１９が形成される。第１舌板１１２の両端には、窪孔１１４が形成される。前記第２絶縁性本体１２は、第１舌板１１２の前端を被覆する第１絶縁部１２１と、前記二つの柱状部１１３の間の第１舌板１１２を被覆する第２絶縁部１２２と、前記端子１３を収納する複数の第２端子溝１２０と、を備える。
【００１２】
前記端子１３は、一列の第１端子１３１と、一列の第２端子１３２と、を備える。一列の第１端子１３１及び一列の第２端子１３２は、ＵＳＢ  ＴＹＰＥ  Ｃの規格に適合する。一列の第１端子１３１は、左から右に向かって、パワー端子１３１ａ、機能端子１３１ｂ、二つの信号端子１３１ｃ、１３１ｄ、パワー端子１３１ｅの順番で配置される。一列の第２端子１３２は、右から左に向かって、パワー端子１３２ａ、機能端子１３２ｂ、二つの信号端子１３２ｃ、１３２ｄ、パワー端子１３２ｅの順番で配置される。第１端子１３１及び第２端子１３２は、それぞれ接触部１３１１，１３２１と、半田接続部１３１３、１３２３と、接触部１３１１、１３２１及び半田接続部１３１３、１３２３を連接する連接部１３１２，１３２２と、を備える。半田接続部１３１３、１３２３が配置される平面は、接触部１３１１、１３２１が配置される平面と平行する。前記連接部１３１２，１３２２が配置される平面は、接触部１３１１、１３２１が配置される平面と直交する。
【００１３】
前記金属シェル１５は、金属射出成型によって成型された一体成形品である。金属シェル１５は、主体部１５１と、前記主体部１５１から前向きに延在して前記第１舌板１１２を包囲するスリーブ１５２と、前記主体部１５１から前向きに延在して前記スリーブ１５２に収納される金属部材１５３と、を備える。主体部１５１は、後壁１５１２と、後壁１５１２から折り曲げられる係合ビーム１５１４と、下向きに延在して回路基板２と係合する取付柱１５１３と、回路基板２に取り付けられる取付脚１５１６と、後壁１５１２から離間していて金属部材１５３と連接する連接壁１５１１と、を備える。
【００１４】
前記金属部材１５３は、連接壁１５１１と、前記連接壁１５１１から前向きに延在するフレーム１５３１と、前記フレーム１５３１の両側から前向きに延在する二つの側方ビーム１５３２と、前記二つの側方ビーム１５３２から横方向の中央側に向かって延在して前記側方ビーム１５３２と直交する二つの前方ビーム１５３３と、前記二つの前方ビーム１５３３の内表面から後ろ向きに延在する固定柱１５３４と、を備える。前記フレーム１５３１と、二つの側方ビーム１５３２と、二つの前方ビーム１５３３とによって、収納孔１５３０が形成される。前記フレーム１５３１は、平行する二つの金属板１５３８と、前記二つの金属板１５３８同士を繋ぐ側壁１５３９と、を有する。前記金属板１５３８が前記第１舌板１１２の末端の上表面及び下表面を被覆する。側壁１５３９は、二つの金属板１５３８の前部同士を繋ぐ。前記二つの金属板１５３８の左の端部及び右の端部にはそれぞれ、窪溝１５３７が形成される。側壁１５３９は、前記収納溝１１９に収納される。前記第１舌板１１２が前記柱状部１１３に連接される部分には連接部１１６が設けられる。前記連接部１１６が、窪溝１５３７に収納される。側壁１５３９及び金属板１５３８の左側面及び右側面は、柱状部１１３の内側面に当接する。側方ビーム１５３２には、絶縁性本体１６のエッジを収納するためのスロット１５３６が形成される。
【００１５】
前記第１絶縁性本体１１が第２絶縁性本体１２に取り付けられ、絶縁性本体１６が形成される。前記絶縁性本体１６は、ベース１６１と、前記ベース１６１から前向きに延在する舌板１６２と、側表面１６２２と、前表面１６２３と、前記側表面１６２２から外へ突出する当接部１６２１と、窪孔１１４と、を備える。前記当接部１６２１は、前記金属部材１５３の側方ビーム１５３２と対応し、前記スロット１５３６に収納される。前記窪孔１１４は、金属部材１５３の固定柱１５３４と係合する。
【００１６】
第２絶縁性本体１２には、保持部１２５が設けられる。前記保持部１２５の前端は、第１絶縁性本体１１から突出し、前記金属部材１５３の前方ビーム１５３３の自由端と係合し、前方ビーム１５３３と面一になる。
【００１７】
前記金属部材１５３の固定柱１５３４は、窪孔１１４に挿入される。絶縁性本体１６の舌板１６２が金属部材１５３の収納孔１５３０に収納される。当接部１６２１がスロット１５３６に収納される。第２絶縁性本体１２の第２絶縁部１２２が金属部材１５３のフレーム１５３１に収納される。側方ビーム１５３２の上、下表面が第１舌板１１２の上、下表面から露出される。電気コネクタ１が相手コネクタ（図示せず）と接続する時、側方ビーム１５３２の上、下表面が相手コネクタの接地端子と接続する。絶縁性本体１６の当接部１６２１が金属部材１５３の側方ビーム１５３２のスロット１５３６の内表面と当接する。絶縁性本体１６の前表面１６２３が金属部材１５３の前方ビーム１５３３と当接する。前記金属部材１５３が絶縁性本体１６に支持され、金属部材１５３の前端を外へ拡張することを防止し、金属部材１５３を保護する。
【００１８】
前記回路基板２には、前記電気コネクタ１の取付柱１５１３と係合する固定孔２１と、電気コネクタ１の取付脚１５１６と係合する取付孔２２と、前記端子１３と接続する接続片２３と、が設けられる。
【００１９】
前記金属部材１５３の二つの側方ビーム１５３２が、電気コネクタ１の接地端子として、静電気をエクスポートし、電磁妨害の効果を実現する。前記電気コネクタ１は、標準的なＵＳＢ３．０に比べて、二つの接地端子が欠けており、使用される材料が少ない。また、製造過程が簡単である。
【００２０】
前記電気コネクタ１が相手コネクタと接続する時、金属部材１５３のフレーム１５３１が相手コネクタと接続する。前記フレーム１５３１には、前記相手コネクタを接地するための一対の金属板１５３８が設けられる。前方ビーム１５３３が舌板１６２と固定する。前方ビーム１５３３によって、前記金属部材１５３の前方ビーム１５３３が外へ拡張することを防止できる。前記舌板１６２が金属部材１５３に包囲されることによって、前記電気コネクタ１が相手コネクタと接続する時、前記舌板１６２を保護でき、挿入力或いは抜出力が強くなる。
【符号の説明】
【００２１】
１００  電気コネクタ組立体
１  電気コネクタ
１１  第１絶縁性本体
１１０  第１端子溝
１１１  第１基部
１１２  第１舌板
１１３  柱状部
１１４  窪孔
１１６  連接部
１１９  収納溝
１２  第２絶縁性本体
１２０  第２端子溝
１２１  第１絶縁部
１２２  第２絶縁部
１２５  保持部
１３  端子
１３１  第１端子
１３１ａ、１３１ｅ、１３２ａ、１３２ｅ  パワー端子
１３１ｂ、１３２ｂ  機能端子
１３１１，１３２１  接触部
１３１２，１３２２  連接部
１３１３，１３２３  半田接続部
１３２  第２端子
１４  防水部
１５  金属シェル
１５１  主体部
１５１１  連接壁
１５１２  後壁
１５１３  取付柱
１５１４  係合ビーム
１５１６  取付脚
１５２  スリーブ
１５３  金属部材
１５３０  収納孔
１５３１  フレーム
１５３２  側方ビーム
１５３３  前方ビーム
１５３４  固定柱
１５３６  スロット
１５３７  窪溝
１５３８  金属板
１５３９  側壁
１６  絶縁性本体
１６１  ベース
１６２  舌板
１６２１  当接部
１６２２  側表面
１６２３  前表面
２  回路基板
２１  固定孔
２２  取付孔
２３  接続片
【図１】
2017123325.tif 000003
【図２】
2017123325.tif 000004
【図３】
2017123325.tif 000005
【図４】
2017123325.tif 000006
【図５】
2017123325.tif 000007
【図６】
2017123325.tif 000008
【図７】
2017123325.tif 000009
【図８】
2017123325.tif 000010
【図９】
2017123325.tif 000011
【図１０】
2017123325.tif 000012